(57)【要約】【課題】      墓を建立したくても高額であるために墓苑の購入ができない、また墓は建立したが墓の管理またはお参りが容易ではない、また出身地の地方に先祖代々の墓があるが、やはりお参りにいけない等々の問題を解決することが発明が解決しようとする課題である。【解決手段】各国及び各宗派に適合した墓、出身地の慣習に適合した墓等、各々の要望に適合した先祖の墓を安価につくり、国内、国外はもとより、インターネットの接続が可能であれば自宅からでも何処からでも礼拝できるようにする事を課題を解決するための手段としている。【特許請求の範囲】
【請求項１】
サーバーは、プログラム上に仮想墓をインプットし、クライアントが各種のオンラインを通じて当該仮想墓を礼拝できるようにしてなるインターネット利用の仮想墓システム。
【請求項２】
仮想墓はクライアントの要望による各種の墓及び墓の背景をインプットしたものである請求項１のインターネット利用の仮想墓システム。
【請求項３】
仮想墓の背景はクライアントの要望による多種類をインプットし、クライアントが各自で背景を変更し得るにしてなる請求項１及び請求項２のインターネット利用の仮想墓システム。
【請求項４】
モニターに表現される仮想墓に対し、同じく仮想の好みの供物、花、線香等を供えられるようインプットした請求項１及び請求項２のインターネット利用の仮想墓システム。
【請求項５】
仮想墓と同時に霊標もインプットし、当該霊標には各々の先祖の戒名及び顔写真及び先祖のプロフィル及び法要の期日等をインプットしてなる請求項１及び請求項２のインターネット利用の仮想墓システム。
【請求項６】
オンラインを通じての礼拝時に、各国の各宗派に適応した経典等をテロップにてモニター面に表現、または音響にて表現すべくインプットしてなる請求項１及び請求項２及び請求項３及び請求項４のインターネット利用の仮想墓システム。
【発明の詳細な説明】
【技術分野】
【０００１】  本発明は、インターネットを利用して礼拝できる仮想墓に関するものであり、クライアントは各宗派に適合した墓、出身地の慣習に適合した墓、出身地等の風景を背景とした墓等、各々の要望に適合した先祖の墓を、国内はもとより、海外からも礼拝できるシステムに関するものである。
【背景技術】
【０００２】  各国、どこへいっても先祖の墓は存在する。国内でも地方により、また宗派によって形態は異なることもあるが墓は存在している。しかし国内においては、特に都会では墓を作れない人も多く、また墓を作ってもなかなかお参りにいけないと言う問題もある。これは墓を建てる墓苑が都心部においては高額なこと、また都心部を避けて比較的安価な郊外に墓苑を購入し墓を建てれば、遠隔地と言う事でお参りになかなかいけない。また地方に先祖代々の墓があるものの、これも遠隔地でお参りにいけない等々の問題があった。【０００３】  一方、国内では沖縄地方等の墓は大きいのが特徴であるが、都会でこのような墓を作ることは極めて難事であるが、沖縄地方の人々にとっては独特の亀甲墓を建てたいという願望があるものであり、出願人はハワイ在住の沖縄出身者の依頼で、ハワイに沖縄式の亀甲墓を建立した実績がある。これは例えば日本国籍を有して国内で生活している韓国の人たちにもいえることで、やはり出身地に見られる韓国式の大きい墓を建てたいと考えており、現に高野山へいくと韓国式の大きい墓を一部の人が建立しているのを見ることができる。【０００４】  また現在はパソコンの普及率は高く、オンラインショッピング等、インターネットを利用して商品の購入までできる時代であるが、墓とインターネットを結びつけたものは見られない。
【発明の開示】
【発明が解決しようとする課題】
【０００５】  解決しようとする問題点は、墓を建立したくても高額であるために墓苑の購入ができない、また墓は建立したが墓の管理またはお参りが容易ではない、また出身地の地方に先祖代々の墓があるが、やはりお参りにいけない等々の問題を解決することが発明が解決しようとする課題である。
【課題を解決するための手段】
【０００６】  各国及び各宗派に適合した墓、出身地の慣習に適合した墓等、各々の要望に適合した先祖の墓を安価につくり、国内、国外はもとより、インターネットの接続が可能であれば自宅からでも何処からでも礼拝できるようにする事を課題を解決するための手段としている。
【発明の効果】
【０００７】  本発明にかかるインターネット利用の仮想墓システムは、従来は、都会では墓を作れない人も多く、また墓を作ってもなかなかお参りにいけないと言う問題があり、これは墓を建てる墓苑が都心部においては高額なこと、また都心部を避けて比較的安価な郊外に墓苑を購入し墓を建てれば、遠隔地と言う事でお参りになかなかいけない。また地方に先祖代々の墓があるものの、これも遠隔地でお参りにいけない等々の問題等があったが、本発明では、インターネットを介して、モニターに仮想ではあるが墓が表示でき、墓の建立されている場所へいくことなく、自宅からだけでなく、何処にいてもインターネットの接続が可能であれば、墓を礼拝する事ができる。しかも墓は自分とか先祖の出身地の慣習による墓とする事ができ、しかも墓の背景には同じく自分とか先祖の出身地の景色等を表示する事ができる。また仮想の墓に、同じく仮想の供物、花、線香等を供えることもでき、その上、霊標を表示すれば各々の先祖の顔写真、プロフィル、次回の法要の期日等が表示され、またクライアントの要望に応じた墓の、各国、各宗派に適応した経典等をテロップでモニター面に流したり、音響で聞く事も出来る等、極めて顕著なる種々の効果が得られるものである。
【発明を実施するための最良の形態】
【０００８】  本発明は、サーバーは、プログラム上に仮想墓をインプットし、クライアントが各種のオンラインを通じて当該仮想墓を礼拝できるようにしてなるインターネット利用の仮想墓システムであり、更には、仮想墓はクライアントの要望による各種の墓及び墓の背景をインプットしたものである請求項１のインターネット利用の仮想墓システムであり、更には、仮想墓の背景はクライアントの要望による多種類をインプットし、クライアントが各自で背景を変更し得るにしてなる請求項１及び請求項２のインターネット利用の仮想墓システムであり、更には、モニターに表現される仮想墓に対し、同じく仮想の好みの供物、花、線香等を供えられるようインプットした請求項１及び請求項２のインターネット利用の仮想墓システムであり、更には、仮想墓と同時に霊標もインプットし、当該霊標には各々の先祖の戒名及び顔写真及び先祖のプロフィル及び法要の期日等をインプットしてなる請求項１及び請求項２のインターネット利用の仮想墓システムであり、更には、オンラインを通じての礼拝時に、各国の各宗派に適応した経典等をテロップにてモニター面に表現、または音響にて表現すべくインプットしてなる請求項１及び請求項２及び請求項３及び請求項４のインターネット利用の仮想墓システムを呈せんとするものである。
【実施例１】
【０００９】  サーバーは、プログラム上に仮想墓をインプットし、クライアントが各種のオンラインを通じて当該仮想墓を礼拝できるようにしている。【００１０】  仮想墓はクライアントの要望による各種の墓及び墓の背景をインプットしたものである。即ち、沖縄出身者であれば亀甲墓をインプットし、その背景には沖縄の自分の住んでいた、また先祖の住んでいた地方の景色等、また韓国の人手あれば、韓国の慣習による墓であり、背景には、やはり韓国の出身地または先祖の住んでいた地域の景色等をインプットしている。当該仮想墓の背景はクライアントの要望による多種類をインプットし、クライアントが各自で背景を変更し得るにしている。これは景色等の背景をクライアント各人が好みで次々と変えてもよいし、また自動的に背景が変るようにしてもよい。【００１１】  モニターに表現される仮想墓に対し、同じく仮想の好みの供物、花、線香等を供えられるようインプットしている。これは通常の墓では礼拝時に供物を供えたり、花を供え、線香をたいているのと同じように、仮想墓の礼拝時にも、仮想の好みの供物、花、線香を供えられるようにインプットしている。これは国内においても国外においてもその土地、その国の慣習に適応した供物、花等としており、種類も各多種に亘ってインプットしている。【００１２】  仮想墓と同時に霊標もインプットし、当該霊標には各々の先祖の戒名及び顔写真及び先祖のプロフィル及び法要の期日等をインプットしている。モニターに表示されている仮想墓の礼拝時に霊標の項をクリックすれば、モニターに霊標が表示され、当該霊標の故人の項をクリックすれば、各々の先祖の顔写真が表示され、次いでプロフィルも表示される。また当該先祖の次回法要の期日も表示されるようにインプットしている。【００１３】  オンラインを通じての礼拝時に、各国の各宗派に適応した経典等をテロップにてモニター面に表現、または音響にて表現すべくインプットしている。
【産業上の利用可能性】
【００１４】  本発明にかかるインターネット利用の仮想墓システムは、サーバーは、プログラム上に仮想墓をインプットし、クライアントが各種のオンラインを通じて当該仮想墓を礼拝できるようにしてなるインターネット利用の仮想墓システムであり、更には、仮想墓はクライアントの要望による各種の墓及び墓の背景をインプットしたインターネット利用の仮想墓システムであり、更には、仮想墓の背景はクライアントの要望による多種類をインプットし、クライアントが各自で背景を変更し得るインターネット利用の仮想墓システムであり、更には、モニターに表現される仮想墓に対し、同じく仮想の好みの供物、花、線香等を供えられるようインプットしたインターネット利用の仮想墓システムであり、更には、仮想墓と同時に霊標もインプットし、当該霊標には各々の先祖の戒名及び顔写真及び先祖のプロフィル及び法要の期日等をインプットしてなるのインターネット利用の仮想墓システムであり、更には、オンラインを通じての礼拝時に、各国の各宗派に適応した経典等をテロップにてモニター面に表現、または音響にて表現すべくインプットしてなるインターネット利用の仮想墓システムであるから、従来は、都会では墓を作れない人も多く、また墓を作ってもなかなかお参りにいけないと言う問題があり、これは墓を建てる墓苑が都心部においては高額なこと、また都心部を避けて比較的安価な郊外に墓苑を購入し墓を建てれば、遠隔地と言う事でお参りになかなかいけない。また地方に先祖代々の墓があるものの、これも遠隔地でお参りにいけない等々の問題等があったが、本発明では、インターネットを介して、モニターに仮想ではあるが墓が表示でき、何処にいてもインターネットの接続が可能であれば、墓を礼拝する事ができる。しかも墓は自分とか先祖の出身地の慣習による墓とする事ができ、しかも墓の背景には同じく自分とか先祖の出身地の景色等を表示する事ができる。また仮想の墓に、同じく仮想の供物、花、線香等を供えることもでき、その上、霊標を表示すれば各々の先祖の顔写真、プロフィル、次回の法要の期日等が表示され、またクライアントの要望に応じた墓の、各国、各宗派に適応した経典等をテロップでモニター面に流したり、音響で聞く事も出来る等、産業上の利用可能性は極めて高いものである。